(57)【要約】  本出願は、ＳＩＭカードリソース管理及びスケジューリング装置を開示する。当該装置は、カードサービスモジュール、カード管理インターフェースモジュール、カード管理モジュール、カード物理インターフェースモジュール、及びモデム駆動モジュールを含み、カードサービスモジュールが、様々なサービスコマンドをカード管理インターフェースモジュールに発行し、カード管理インターフェースモジュールを介して様々なサービスコマンドをカード管理モジュールに伝達するために使用され、カード管理モジュールが、各サブモジュールがカード物理インターフェースモジュールを呼び出すことで様々なサービス機能を実現し、ＳＩＭカードのリソースを管理するように、受信した様々な前記サービスコマンドに従って対応するサブモジュールを呼び出すために使用され、カード物理インターフェースモジュールが、非モデム側に設けられたＳＩＭカードを操作し、及びモデム駆動モジュール内のモデム仮想カード駆動モジュールを呼び出すことで非モデム側のＳＩＭカードをモデムにロードしたり、モデム駆動モジュール内のモデム物理カード駆動モジュールを呼び出すことでモデムにマウントされたＳＩＭカードを操作したりするために使用される。本発明により、ＳＩＭカードリソースへの効果的なスケジューリング及び管理を実現する。
2021536148.tif 000002
【特許請求の範囲】
【請求項１】
ＳＩＭカードリソース管理及びスケジューリング装置であって、
様々なサービスコマンドをカード管理インターフェースモジュールに発行し、前記カード管理インターフェースモジュールを介して様々な前記サービスコマンドをカード管理モジュールに伝達するためのカードサービスモジュールと、
各サブモジュールがカード物理インターフェースモジュールを呼び出すことで様々なサービス機能を実現し、ＳＩＭカードのリソースを管理するように、受信した様々な前記サービスコマンドに従って対応するサブモジュールを呼び出すためのカード管理モジュールと、
非モデム側に設けられたＳＩＭカードを操作し、及びモデム駆動モジュール内のモデム仮想カード駆動モジュールを呼び出すことで前記非モデム側のＳＩＭカードをモデムにロードしたり、前記モデム駆動モジュール内のモデム物理カード駆動モジュールを呼び出すことで前記モデムにマウントされたＳＩＭカードを操作したりするためのカード物理インターフェースモジュールとを含む、ことを特徴とするＳＩＭカードリソース管理及びスケジューリング装置。
【請求項２】
前記様々なサービスコマンドはカード割当コマンドを含み、
前記カード管理モジュールは、前記カードサービスモジュールから発行された前記カード割当コマンドに従って、前記カード物理インターフェースモジュールを呼び出すことでクラウドＳＩＭカードサーバから送信されたクラウドＳＩＭカードデータを前記カード物理インターフェースモジュール下のクラウドＳＩＭカードモジュールに書き込み、前記カードサービスモジュールによって確定されたＳＩＭカードをインストールして生成するためのカードインストールサブモジュールを含む、ことを特徴とする請求項１に記載のＳＩＭカードリソース管理及びスケジューリング装置。
【請求項３】
前記様々なサービスコマンドはさらに、使用コマンドを含み、
前記モデム駆動モジュールは、前記モデム仮想カード駆動モジュールを含み、
前記カード管理モジュールはさらに、前記カードサービスモジュールから発行された前記使用コマンドに従って、前記カード物理インターフェースモジュールを呼び出すことにより、前記カード物理インターフェースモジュールが前記モデム仮想カード駆動モジュールを呼び出して前記非モデム側のＳＩＭカードを前記モデムにロードして使用するようにするためのカード使用サブモジュールを含む、ことを特徴とする請求項１に記載のＳＩＭカードリソース管理及びスケジューリング装置。
【請求項４】
前記様々なサービスコマンドはさらに、共有コマンドを含み、
前記モデム駆動モジュールはさらに、前記モデム物理カード駆動モジュールを含み、
前記カード管理モジュールはさらに、前記カードサービスモジュールから発行された前記共有コマンドに従って、前記カード物理インターフェースモジュールを呼び出すことにより、前記カード物理インターフェースモジュールが前記非モデム側に設けられたＳＩＭカードをクラウドＳＩＭカードサーバに共有し、又は前記モデム物理カード駆動モジュールを呼び出して前記モデムにマウントされたＳＩＭカードを前記クラウドＳＩＭカードサーバに共有するようにするためのカード共有サブモジュールを含む、ことを特徴とする請求項１に記載のＳＩＭカードリソース管理及びスケジューリング装置。
【請求項５】
前記様々なサービスコマンドはさらに、更新コマンドを含み、
前記カード管理モジュールは、前記カードサービスモジュールから発行された前記更新コマンドに従って、前記カード物理インターフェースモジュールを呼び出すことにより、前記カードサービスモジュールによって確定されたＳＩＭカードデータを更新するためのカード更新サブモジュールを含む、ことを特徴とする請求項１に記載のＳＩＭカードリソース管理及びスケジューリング装置。
【請求項６】
前記様々なサービスコマンドはさらに、監視及び警告コマンドを含み、
前記カード管理モジュールは、前記カードサービスモジュールから発行された前記監視及び警告コマンドに従って、前記カード物理インターフェースモジュールを呼び出すことにより、前記カードサービスモジュールによって確定された様々なＳＩＭカードの状態を監視し、ＳＩＭカードの状態が異常であることが監視されると警告を発するためのカード監視及び警告サブモジュールを含む、ことを特徴とする請求項１に記載のＳＩＭカードリソース管理及びスケジューリング装置。
【請求項７】
請求項１−６のいずれか一項に記載のＳＩＭカードリソース管理及びスケジューリング装置が設けられていることを特徴とする通信端末。
【請求項８】
ＳＩＭカードリソース管理及びスケジューリングシステムであって、
請求項７に記載の通信端末と、
前記カードサービスモジュールから送信された様々なサービスリクエストを受信し、及び／又はリクエスト応答を前記カードサービスモジュールに送信するために使用され、前記リクエスト応答が、受信した前記カードサービスモジュールから発行された様々なサービスリクエストに従ってクラウドＳＩＭカードサーバによって行われた応答である前記クラウドＳＩＭカードサーバと、を含む、ことを特徴とするＳＩＭカードリソース管理及びスケジューリングシステム。
【発明の詳細な説明】
【技術分野】
【０００１】
関連出願の相互参照
本出願は、２０１９年０６月２１日に中国特許庁に提出した出願番号がＣＮ２０１９１０５４１１４７．４、発明名称が「ＳＩＭカードリソース管理及びスケジューリング装置、通信端末、並びにシステム」の中国特許出願の優先権を主張するものであり、その内容のすべては参照により本出願に組み込まれる。
【０００２】
本出願は、移動通信技術分野に関し、具体的には、ＳＩＭカードリソース管理及びスケジューリング装置、通信端末、並びにシステムに関する。
【背景技術】
【０００３】
移動通信分野の急速な発展に伴い、スマート端末（例えば携帯電話）の応用は、我々の生活のあらゆる面にますます深く関わってきており、スマート端末にユーザ識別モジュール（ＳＩＭカードやＵＳＩＭカードなど）を設けることで、このユーザ識別モジュールを介してキャリアのネットワークからサービスを取得することができる。人々のソーシャルサークルの継続的な発展に伴い、仕事と生活の混合を回避するために、ユーザは、通常、仕事用電話と生活用電話を分けるために複数のＳＩＭカードを用意する必要がある。
【０００４】
既存の移動端末でサポートされているＳＩＭカードのタイプは、ＳＩＭカードスロットに挿入されてモデム（Ｍｏｄｅｍ）に直接マウントされたＳＩＭカード、デバイスに固定設けられたｅＳＩＭカード、及び特定のチャネルを介してデバイスにダンロードされたソフトカードなどを含み、既存の様々なタイプのＳＩＭカードは、通常、モデムに直接マウントされており、モデム上のＳＩＭカードの物理インターフェースが限られているため、モデム上に限られたＳＩＭカードリソースのみをロードでき、その結果、使用できるＳＩＭカードの数が限られ、ユーザは、複数のＳＩＭカードを使用する必要がある場合、一般的にＳＩＭカードを手動で交換する必要があり、挿入されていないＳＩＭカードがダイヤル又は着信できず、且つモデムにロードされたＳＩＭカードを使用する必要がない場合、当該ＳＩＭカードを取り外すために移動端末を起動するしかできなく、その結果、ＳＩＭカードのリソースを効果的かつ合理的にスケジューリングすることができない。同時に、既存の移動端末では、デバイス内の物理ＳＩＭカードやｅＳＩＭカードへの共有の機能をサポートするため、物理ＳＩＭカードやｅＳＩＭカードは、それが現在配置されているデバイスだけで使用できる。
【発明の概要】
【発明が解決しようとする課題】
【０００５】
本出願の実施例の目的の１つは、従来からＳＩＭカードリソースを効果的に管理できないという問題を解決するために、ＳＩＭカードリソース管理及びスケジューリング装置、通信端末、並びにシステムを提供することにある。
【課題を解決するための手段】
【０００６】
上記の技術的課題を解決するために、本出願の実施例で採用される技術的解決手段は次のとおりである。
【０００７】
第１態様によるＳＩＭカードリソース管理及びスケジューリング装置は、
様々なサービスコマンドをカード管理インターフェースモジュールに発行し、前記カード管理インターフェースモジュールを介して様々な前記サービスコマンドをカード管理モジュールに伝達するためのカードサービスモジュールと、
サブモジュールがカード物理インターフェースモジュールを呼び出すことで様々なサービス機能を実現し、ＳＩＭカードのリソースを管理するように、受信した様々な前記サービスコマンドに従って対応するサブモジュールを呼び出すためのカード管理モジュールと、
非モデム側に設けられたＳＩＭカードを操作し、及びモデム駆動モジュール内のモデム仮想カード駆動モジュールを呼び出すことで前記非モデム側のＳＩＭカードをモデムにロードしたり、前記モデム駆動モジュール内のモデム物理カード駆動モジュールを呼び出すことで前記モデムにマウントされたＳＩＭカードを操作したりするためのカード物理インターフェースモジュールと、を含む。
【０００８】
第２態様による通信端末は、上述したＳＩＭカードリソース管理及びスケジューリング装置が設けられている。
【０００９】
第３態様によるＳＩＭカードリソース管理及びスケジューリングシステムは、
上述した通信端末と、
クラウドＳＩＭカードサーバであって、前記カードサービスモジュールから送信された様々なサービスリクエストを受信し、及び／又はリクエスト応答を前記カードサービスモジュールに送信するために使用され、前記リクエスト応答が、受信した前記カードサービスモジュールから送信された様々なサービスリクエストに従って前記クラウドＳＩＭカードサーバによって行われた応答であるクラウドＳＩＭカードサーバと、を含む。
【発明の効果】
【００１０】
本出願の実施例によって提供されるＳＩＭカードリソース管理及びスケジューリング装置の有益な効果は以下のとおりである：設けられたカードサービスモジュールにより、ＳＩＭカードの様々な操作に対するサービスコマンドを発行し、かつカード管理インターフェースモジュールを介してサービスコマンドをカード管理モジュールに伝達することができ、このとき、カード管理モジュール内の対応する各サブモジュールにより、カード物理インターフェースモジュールを呼び出すことで様々なサービス機能を実現し、同時に、カード物理インターフェースモジュールにより、非モデム側に設けられたＳＩＭカードの読み書き操作、ＳＩＭカードデータの修正及びＳＩＭカードの追加と削除、及びＳＩＭカードに対する監視及び警告を実現することができ、また、カード物理インターフェースモジュールによりモデム駆動モジュールを呼び出すことで、モデム駆動モジュールを介して非モデム側のＳＩＭカードをモデムにロードして通信し、又は他のユーザが使用するためにクラウドＳＩＭカードサーバに共有し、又はモデム内にマウントされたＳＩＭカードの共有、有効化、無効化や監視などの操作を実現し、様々なＳＩＭカードリソースの動的な管理及び割当を実現することができ、これにより、ＳＩＭカードの管理効率を効果的に向上させる。
【図面の簡単な説明】
【００１１】
本出願の実施例における技術的解決手段をより明確に説明するために、以下は、実施例又は例示的な技術の説明に必要な図面を簡単に紹介し、当然のことながら、以下で説明される図面は、本出願のいくつかの実施例に過ぎず、当業者であれば、創造的労働を要することなく、これらの図面に基づく他の図面を得ることができる。
【００１２】
【図１】本発明の実施例一によるＳＩＭカードリソース管理及びスケジューリング装置の構造概略図である。
【図２】本発明の実施例二による通信端末の構造概略図である。
【図３】本発明の実施例三によるＳＩＭカードリソース管理及びスケジューリングシステムのネットワークアーキテクチャ図である。
【図４】本発明の実施例三によるＳＩＭカードリソース管理及びスケジューリングシステムの構造概略図である。
【図５】本発明の実施例四によるＳＩＭカード割当方法の概略フローチャートである。
【図６】本発明の実施例五によるＳＩＭカード使用方法の概略フローチャートである。
【図７】本発明の実施例六によるＳＩＭカード共有方法の概略フローチャートである。
【図８】本発明の実施例七によるＳＩＭカード更新方法の概略フローチャートである。
【図９】図９是本発明の実施例八によるＳＩＭカード監視及び警告方法の概略フローチャートである。
【発明を実施するための形態】
【００１３】
本出願の目的、技術的解決手段及び利点をより明確にするために、以下は、図面及び実施例を参照しながら本出願をさらに詳細に説明する。ここで説明される具体的な実施例は、本出願を解釈するためのものに過ぎず、本出願を限定するためのものではないことを理解すべきである。
【００１４】
ある部材が別の部材に「固定」又は「設置」と言われている場合、それが別の部材に直接又は間接的に位置され得ることは説明すべきである。ある部材が別の部材に「接続」されると言われている場合、それは別の部材に直接又は間接的に接続され得る。「上」、「下」、「左」、「右」などの用語によって示される方位又は位置関係は、図面に示された方位又は位置関係に基づき、説明を容易にするためのものに過ぎず、言及された装置又は素子が特定の方位を有し、特定の方位で構築及び操作されなければならないことを指示又は示唆することを意図しないので、本出願を限定するものと理解されるべきではなく、当業者にとって、上記用語の特定の意味は、特定の状況に従って理解されてもよい。「第１」、「第２」という用語は、目的の説明を容易にするためのものに過ぎず、相対的な重要度を指示や示唆するもの、あるいは技術的特徴の数を暗示的に示すものとして理解できない。特に限定されていない限り、「複数」は２つ以上を意味する。本発明の実施例によるＳＩＭカードリソース管理及びスケジューリング装置は、様々なサービスコマンドをカード管理インターフェースモジュールに発行し、カード管理インターフェースモジュールを介して様々なサービスコマンドをカード管理モジュールに伝達するためのカードサービスモジュールと、各サブモジュールがカード物理インターフェースモジュールを呼び出すことで様々なサービス機能を実現し、ＳＩＭカードのリソースを管理するように、受信した様々なサービスコマンドに従って対応するサブモジュールを呼び出すためのカード管理モジュールと、非モデム側に設けられたＳＩＭカードを操作し、及びモデム駆動モジュール内のモデム仮想カード駆動モジュールを呼び出すことで前記非モデム側のＳＩＭカードをモデムにロードしたり、前記モデム駆動モジュール内のモデム物理カード駆動モジュールを呼び出すことで前記モデムにマウントされたＳＩＭカードを操作したりするためのカード物理インターフェースモジュールと、を含む。本発明では、設けられたカードサービスモジュールにより、ＳＩＭカードの様々な操作に対するサービスコマンドを発行し、かつカード管理インターフェースモジュールを介してサービスコマンドをカード管理モジュールに伝達することができ、このとき、カード管理モジュール内の対応する各サブモジュールにより、カード物理インターフェースモジュールを呼び出すことで様々なサービス機能を実現し、同時に、カード物理インターフェースモジュールにより、非モデム側に設けられたＳＩＭカードの読み書き操作、ＳＩＭカードデータの修正及びＳＩＭカードの追加と削除、及びＳＩＭカードに対する監視及び警告を実現することができ、また、カード物理インターフェースモジュールによりモデム駆動モジュールを呼び出すことで、モデム駆動モジュール内のモデム仮想カード駆動モジュールを介して非モデム側のＳＩＭカードをモデムにロードして通信し、又は他のユーザが使用するためにクラウドＳＩＭカードサーバに共有し、又は前記モデム駆動モジュール内のモデム物理カード駆動モジュールを呼び出すことでモデム内にマウントされたＳＩＭカードの共有、有効化、無効化や監視などの操作を実現し、様々なＳＩＭカードリソースの動的な管理及び割当を実現することができ、これにより、ＳＩＭカードの管理効率を効果的に向上させる。
【００１５】
実施例一
図１は、本発明の実施例一によるＳＩＭカードリソース管理及びスケジューリング装置の構造概略図であり、図１に示すように、当該ＳＩＭカードリソース管理及びスケジューリング装置２０は、
カード管理インターフェースモジュール２２に接続され、様々なサービスコマンドをカード管理インターフェースモジュール２２に発行し、カード管理インターフェースモジュール２２を介して様々なサービスコマンドをカード管理モジュールに伝達するためのカードサービスモジュール２１と、
カードサービスモジュール２１及びカード管理モジュール２３にそれぞれ接続され、カードサービスモジュール２１とカード管理モジュール２３が通信インターフェースを介してデータ通信を行うように、カードサービスモジュール２１とカード管理モジュール２３との間の通信インターフェースを提供するためのカード管理インターフェースモジュール２２と、
カード管理インターフェースモジュール２２及びカード物理インターフェースモジュール２４にそれぞれ接続され、各サブモジュールがカード物理インターフェースモジュール２４を呼び出すことで様々なサービス機能を実現し、ＳＩＭカードのリソースを管理するように、受信した様々なサービスコマンドに従って対応するサブモジュールを呼び出すためのカード管理モジュール２３と、
カード管理モジュール２３及びモデム駆動モジュール２５にそれぞれ接続され、非モデム側に設けられたＳＩＭカードを操作し、及びモデム駆動モジュール２５内のモデム仮想カード駆動モジュール２５１を呼び出すことで非モデム側のＳＩＭカードをモデムにロードしたり、前記モデム駆動モジュール２５内のモデム物理カード駆動モジュール２５２を呼び出すことでモデムにマウントされたＳＩＭカードを操作したりするためのカード物理インターフェースモジュール２４と、を含む。
【００１６】
ここで、本発明の実施例では、当該ＳＩＭカードリソース管理及びスケジューリング装置２０は、様々なＳＩＭに対してリソース管理及びスケジューリングを行うために使用され、そのうち、ＳＩＭカードが物理ＳＩＭカード、ｅＳＩＭカード（埋め込み型ＳＩＭカード）、ソフトカード（ｓｏｆｔＳＩＭカード）、リモートＳＩＭカード、クラウドＳＩＭカードなどを含むが、これらに限定されない。
【００１７】
具体的には、これらの様々なタイプのＳＩＭカードには、チャイナモバイルキャリアのＳＩＭカード、チャイナユニコムキャリアのＳＩＭカードカード、チャイナテレコムキャリアのＳＩＭカード、チャイナレールコムキャリアのＳＩＭカードなどの国内キャリアによって提供されるＳＩＭカードに加えて、海外のモバイルキャリアによって提供されるＳＩＭカードも含まれる。
【００１８】
本発明の実施例では、そのｅＳＩＭカードは、任意のモバイルデバイスをサポートするＳＩＭカード構成である。ｅＳＩＭカードにより、消費者は複数のキャリアのカードの構成ファイルを同時にデバイスに記憶することができる。現在、メーカーやキャリアに対して、消費者は、自分の好きなキャリアを選択し、次に当該キャリアのＳＩＭカードデータを任意のデバイスに安全にダウンロードすることができる。
【００１９】
本発明の実施例では、クラウドＳＩＭカードは、クラウドＳＩＭカードサーバ側に設けられた物理ＳＩＭカード、ソフトカード又は他のタイプのＳＩＭカード（例えば、ｅＳＩＭカード、マルチＩＭＳＩカードなど）であってもよく、理解されるように、ここで挙げられたクラウドＳＩＭカードの例は、理解を容易にするためのものだけであり、本発明ではこれらに限定されず、実際の状況に従って選択できる。
【００２０】
本発明の実施例では、ソフトカードが物理ＳＩＭカードを完全にソフトウェア化するＳＩＭカードであるため、ソフトカード内の各パラメータは設定されてもよいが、物理ＳＩＭカード内のパラメータは硬化しており、変更できない、このとき、ソフトカードには、電話番号、集積回路カード識別コード（Ｉｎｔｅｇｒａｔｅｃｉｒｃｕｉｔ  ｃａｒｄ  ｉｄｅｎｔｉｔｙ：ＩＣＣＩＤ）、国際モバイル加入者識別コード（Ｉｎｔｅｒｎａｔｉｏｎａｌ  ＭｏｂｉｌｅＳｕｂｓｃｒｉｂｅｒ  Ｉｄｅｎｔｉｆｉｃａｔｉｏｎ  Ｎｕｍｂｅｒ：ＩＭＳＩ）、認証キー（ＫＩ）、ショートメッセージセンター（ＳＭＳＰ）のうちの１つ又はそれらの組み合わせを含むがこれらに限定されない様々なＳＩＭカードデータが書き込まれてもよい。
【００２１】
本発明の実施例では、クラウドＳＩＭカードはソフトカード又はリモートＳＩＭカードとして通信端末にダウンロードされ、ここで、リモートＳＩＭカードがクラウドＳＩＭカードサーバ側に設けられた様々なＳＩＭカードであり、通信ネットワークへのアクセスに用いられる場合、クラウドＳＩＭカードサーバ上のＳＩＭカードを介して認証などの操作を行う必要がある。具体的な応用シーンでは、ＳＩＭカードのタイプは、ＳＩＭカードの機能作用に従って確定されてもよく、ここでは限定されない。
【００２２】
ここで、クラウドＳＩＭカードサーバは、ＳＩＭカードを記憶及び管理するためのサーバであり、クラウドＳＩＭカードの集中管理及び柔軟なスケジューリングを行うことができ、そのクラウドＳＩＭカードサーバは、１台のサーバであっても、複数台のサーバで構成されたサーバ群であってもよく、又は１つのクラウドコンピューティングサービスセンターであってもよい。ここで、クラウドＳＩＭカードサーバには、クラウドＳＩＭカードサーバ側に記憶された物理ＳＩＭカード、ソフトカード又はその他のタイプのＳＩＭカードだけでなく、通信端末及びＳＩＭＢＯＸによってクラウドＳＩＭカードサーバ側に共有されているＳＩＭカードを含む複数のグラウンドＳＩＭカードが記憶されている。
【００２３】
さらに、本発明の一実施例では、当該ＳＩＭカードリソース管理及びスケジューリング装置２０は、モデムと、非モデム側に設けられてもよい複数のＳＩＭカードスロットと、ＳＩＭカードデータをロードできるクラウドＳＩＭカードモジュールを含む通信端末に統合されており、ここで、クラウドＳＩＭカードモジュールがソフトカードモジュールとリモートＳＩＭカードモジュールを含む。ここで、ソフトカードモジュールはソフトカードデータをロードするために使用され、リモートＳＩＭカードモジュールはリモートＳＩＭカードデータをロードするために使用される。ここで、当該モデムは、例えばデュアルカード又はマルチカードのスタンバイを実現できる既存のＳＩＭカードスロットを含み、このとき、ユーザは、物理ＳＩＭカードをモデム側のＳＩＭカードスロットに直接挿入して、モデムにマウントして使用することができる。
【００２４】
指摘されるように、その通信端末にはｅＳＩＭカードが設けられてもよく、そのｅＳＩＭカードはモデムに直接固定マウントされて使用されてもよいし、非モデム側に固定されてもよい。図１、２に示すように、このとき、通信端末は、非モデム側に設けられたｅＳＩＭカード１、物理ＳＩＭカード１、及びモデムにマウントされたｅＳＩＭカード２、物理ＳＩＭカード２を含み得る。
【００２５】
ユーザが物理ＳＩＭカードを非モデム側のＳＩＭカードスロットに挿入し、又はＳＩＭカードデータをクラウドＳＩＭカードモジュール内のソフトカードモジュールとリモートＳＩＭカードモジュールにロードする場合、その物理ＳＩＭカード、ソフトカードとリモートＳＩＭカードは現在モデムにマウントされていないため、データ通信を行うことができなく、さらに、ユーザが非モデム側に挿入された物理ＳＩＭカード又はソフトカードモジュールやリモートＳＩＭカードモジュールにロードされたＳＩＭカードを使用してデータ通信を行う必要がある場合、通信端末でのアプリケーションプログラムを制御することにより、カード物理インターフェースモジュール２４は、モデム駆動モジュール２５を呼び出すことで、物理ＳＩＭカード、ソフトカード、リモートＳＩＭカードをモデムにロードし、かつモデムを介して非モデム側のＳＩＭカードの使用を実現する。
【００２６】
本発明の一実施例では、当該カードサービスモジュール２１から発行されるサービスコマンドは、カード割当コマンド、使用コマンド、共有コマンド、更新コマンド、及び監視及び警告コマンドを含む。ここで、当該カードサービスモジュール２１は、クラウドＳＩＭカードサーバから送信されたクラウドＳＩＭカードデータをカード物理インターフェースモジュール２４下のクラウドＳＩＭカードモジュールにロードしてカードの割当及びインストールを実現すること、非モデム側にあるＳＩＭカードをモデムにロードし、ＳＩＭカードを有効化すること、通信端末でのＳＩＭカードをクラウドＳＩＭカードサーバに共有することと、取得した様々な更新データに基づいて更新が必要なＳＩＭカードデータを更新することと、ＳＩＭカードの状態情報を監視し、かつＳＩＭカードの状態情報に異常がある時に警告を発することなどの様々なＳＩＭカードの管理サービスロジックを実現するために使用される。
【００２７】
具体的には、本発明の一実施例では、当該カード物理インターフェースモジュール２４は様々なＳＩＭカードを操作するために使用され、具体的には、カード物理インターフェースモジュール２４は、様々なＳＩＭカードに対して、パワーアップ（ｐｏｗｅｒ  ｕｐ）、パワーダウン（ｐｏｗｅｒ  ｄｏｗｎ）、リセット（ｒｅｓｅｔ）、及びａｐｄｕリクエスト（ａｐｄｕ  ｒｅｑｕｅｓｔ）などの様々なインターフェース操作を行うことができる。例えば、ユーザが通信端末のアプリケーションプログラムを制御することでクラウドＳＩＭカードをインストールするためのカード割当コマンドを送信する場合、そのカード物理インターフェースモジュール２４は、クラウドＳＩＭカードをクラウドＳＩＭカードモジュールにインストールし、かつクラウドＳＩＭカードデータの書き込み及び修正などを行ってユーザが望むクラウドＳＩＭカードをインストールして生成することができ、ユーザが生成されたクラウドＳＩＭカード又は非モデム側に設けられたＳＩＭカードを有効化する必要がある場合、ユーザは、通信端末のアプリケーションプログラムを制御することでＳＩＭカードを有効化するための使用コマンドを送信し、このとき、そのカード物理インターフェースモジュール２４は、それに接続されたモデム仮想カード駆動モジュールを呼び出して、非モデム側に設けられたＳＩＭカードをモデムにロードして使用することで、移動通信を実現する。ユーザが通信端末に設けられたＳＩＭカードをクラウドＳＩＭカードサーバに共有する必要がある場合、ユーザは、通信端末のアプリケーションプログラムを制御することでＳＩＭカードを共有するための共有コマンドを送信し、このとき、カード物理インターフェースモジュール２４は、非モデム側に設けられたＳＩＭカードをクラウドＳＩＭカードサーバに共有し、又はそれに接続されたモデム物理カード駆動モジュールを呼び出してモデムにマウントされたＳＩＭカードをクラウドＳＩＭカードサーバに共有する。このとき、通信端末の非モデム側に複数のＳＩＭカードスロット及びクラウドＳＩＭカードモジュールが設けられてもよいため、モデムのインターフェースの数が限られている場合、当該カード物理インターフェースモジュール２４により、ＳＩＭカードのリソースの効果的なスケジューリングを実現することができ、それによって必要なＳＩＭカードリソースをモデムにロードし、様々なＳＩＭカードリソースの動的な管理及び割当を実現することができる。
【００２８】
本発明の一実施例では、カード管理モジュール２３は、カードサービスモジュール２１から発行されたカード割当コマンドに従って、カード物理インターフェースモジュール２４を呼び出すことでクラウドＳＩＭカードサーバから発行されたクラウドＳＩＭカードデータをカード物理インターフェースモジュール２４下のクラウドＳＩＭカードモジュールに書き込み、カードサービスモジュール２１によって確定されたＳＩＭカードをインストールして生成するためのカードインストールサブモジュール２３１を含む。
【００２９】
具体的には、本実施例では、そのカードサービスモジュール２１から発行されたカード割当コマンドにおけるＳＩＭカードは、主にクラウドＳＩＭカードサーバに記憶されているクラウドＳＩＭカードであり、そのカードサービスモジュール２１は、まず、カード割当リクエストコマンドをクラウドＳＩＭカードサーバに発行して、クラウドＳＩＭカードサーバから送信された、カード割当が必要なクラウドＳＩＭカードデータを取得し、さらに、カードサービスモジュール２１は、クラウドＳＩＭカードデータを含むカード割当コマンドを発行し、かつカード管理インターフェースモジュール２２によって提供された通信インターフェースを介してカード管理モジュール２３に伝達し、カード管理モジュール２３は、取得したカード割当コマンドに応じてカードインストールサブモジュール２３１を呼び出し、このとき、カードインストールサブモジュール２３１は、カード物理インターフェースモジュール２４を駆動して、クラウドＳＩＭカードサーバから発行されたクラウドＳＩＭカードデータを特定のチャネルを介してクラウドＳＩＭカードモジュールにダウンロードして書き込むことにより、必要なクラウドＳＩＭカードのインストール及び生成を実現し、それによって物理ＳＩＭカードを挿入することなく、クラウドＳＩＭカードの追加及びその後の利用を実現する。
【００３０】
本発明の一実施例では、モデム駆動モジュール２５はモデム内に設けられ、そのモデム駆動モジュール２５は、非モデム側に設けられたＳＩＭカードをモデムで操作するための駆動を提供するためのモデム仮想カード駆動モジュール２５１を含むため、非モデム側に設けられたＳＩＭカードをモデムにロードして使用し、又はクラウドＳＩＭカードサーバに共有し、又は非モデム側に設けられたがモデムにロードされたＳＩＭカードを無効化してモデムのリソースを解放することができる。
【００３１】
本発明の一実施例では、カード管理モジュール２３は、カードサービスモジュール２１から発行された使用コマンドに従って、カード物理インターフェースモジュール２４を呼び出すことにより、カード物理インターフェースモジュール２４がモデム仮想カード駆動モジュール２５１を呼び出して非モデム側に設けられたＳＩＭカードをモデムにロードして使用するようにするためのカード使用サブモジュール２３２を含む。
【００３２】
具体的には、在本実施例では、そのカードサービスモジュール２１は、必要なＳＩＭカードの使用コマンドを発行し、かつカード管理インターフェースモジュール２２によって提供された通信インターフェースを介してカード管理モジュール２３に伝達し、カード管理モジュール２３は、取得した使用コマンドに応じてカード使用サブモジュール２３２を呼び出し、このとき、カード使用サブモジュール２３２は、カード物理インターフェースモジュール２４がモデム仮想カード駆動モジュール２５１を呼び出して非モデム側に設けられたＳＩＭカードリソースをモデムにロードし、非モデム側に設けられたＳＩＭカードをモデムにロードして使用するように、カード物理インターフェースモジュール２４を呼び出する。指摘されるように、モデム内にロードできるＳＩＭカードは、非モデム側に設けられたクラウドＳＩＭカード、物理ＳＩＭカード、及びｅＳＩＭカードを含む。ここで、クラウドＳＩＭカードは、ソフトカードモジュールにロードされたソフトカード、及びリモートＳＩＭカードモジュールにロードされたリモートＳＩＭカードを含む。指摘されるように、リモートＳＩＭカードを使用する場合、クラウドＳＩＭカードサーバを介してリモート認証操作を行う必要がある。
【００３３】
本発明の一実施例では、モデム駆動モジュール２５はさらに、モデムに設けられたＳＩＭカードを共有、有効化又は無効化するための駆動を提供するためのモデム物理カード駆動モジュール２５２を含むため、モデムに設けられたＳＩＭカードリソースをクラウドＳＩＭカードサーバに共有し、又はモデムに設けられたＳＩＭカードを有効化又は無効化することができる。
【００３４】
本発明の一実施例では、カード管理モジュール２３はさらに、カードサービスモジュール２１から発行された共有コマンドに従って、カード物理インターフェースモジュール２４を呼び出すことにより、カード物理インターフェースモジュール２４が非モデムに設けられたＳＩＭカードをクラウドＳＩＭカードサーバに共有し、又はモデム物理カード駆動モジュール２５２を呼び出してモデムにマウントされたＳＩＭカードをクラウドＳＩＭカードサーバに共有するようにするためのカード共有サブモジュール２３３を含む。
【００３５】
具体的には、本実施例では、カードサービスモジュール２１は、共有が必要なＳＩＭカードに対して共有コマンドを発行し、かつカード管理インターフェースモジュール２２によって提供された通信インターフェースを介してカード管理モジュール２３に伝達し、カード管理モジュール２３は、取得した共有コマンドに応じてカード共有サブモジュール２３３を呼び出し、このとき、カード共有サブモジュール２３３は、共有が必要なＳＩＭカードの位置を取得する。
【００３６】
共有が必要なＳＩＭカードが非モデム側に設けられた場合、そのカード共有サブモジュール２３３は、カード物理インターフェースモジュール２４を呼び出すことにより、カード物理インターフェースモジュール２４が非モデムに設けられたＳＩＭカードリソースをクラウドＳＩＭカードサーバに共有するようにし、このとき、共有できるＳＩＭカードは、非モデム側に設けられたクラウドＳＩＭカード、物理ＳＩＭカード、及びｅＳＩＭカードを含む。
【００３７】
共有が必要なＳＩＭカードがモデムにマウントされた場合、そのカード共有サブモジュール２３３は、カード物理インターフェースモジュール２４を呼び出すことにより、カード物理インターフェースモジュール２４がモデム物理カード駆動モジュール２５２を呼び出してモデムにマウントされたＳＩＭカードリソースをクラウドＳＩＭカードサーバに共有するようにし、又はカード物理インターフェースモジュール２４がモデム仮想カード駆動モジュール２５１を呼び出して非モデム側からモデム内にロードされたＳＩＭカードリソースをクラウドＳＩＭカードサーバに共有するようにし、このとき、共有できるＳＩＭカードは、モデム内にマウントされた物理ＳＩＭカードやｅＳＩＭカード、又は非モデム側に設けられたがモデム内にロードされたクラウドＳＩＭカード、物理ＳＩＭカード、及びｅＳＩＭカードを含む。ここで、指摘されるように、モデムデバイスにマウントされたＳＩＭカードを共有した後、その通信端末は当該ＳＩＭカードの通信操作を無効化する。
【００３８】
本発明の一実施例では、カード管理モジュール２３はさらに、カードサービスモジュール２１から発行された更新コマンドに従って、前記カード物理インターフェースモジュール２４を呼び出すことで前記カードサービスモジュール２１によって確定されたＳＩＭカードデータを更新するためのカード更新サブモジュール２３４を含む。
【００３９】
具体的には、本実施例では、クラウドＳＩＭカードモジュール内にダウンロードされたＳＩＭカードデータを更新する必要がある場合、そのカードサービスモジュール２１は、更新が必要なＳＩＭカードデータへの更新リクエストコマンドをクラウドＳＩＭカードサーバに発行し、クラウドＳＩＭカードサーバから送信されたＳＩＭカード更新データを取得する。さらに、カードサービスモジュール２１は、ＳＩＭカード更新データを含む更新コマンドを発行し、かつカード管理インターフェースモジュール２２によって提供された通信インターフェースを介してカード管理モジュール２３に伝達し、カード管理モジュール２３は、取得した更新コマンドに応じてカード更新サブモジュール２３４を呼び出し、このとき、カード更新サブモジュール２３４は、カード物理インターフェースモジュール２４を呼び出して、クラウドＳＩＭカードサーバから送信されたＳＩＭカード更新データをクラウドＳＩＭカードモジュールに対応するＳＩＭカード内にダウンロードして書き込むことにより、必要なＳＩＭカードデータの更新を実現する。
【００４０】
本発明の一実施例では、カード管理モジュール２３はさらに、カードサービスモジュール２１から発行された監視及び警告コマンドに従って、カード物理インターフェースモジュール２４を呼び出すことにより、カードサービスモジュール２１によって確定された様々なＳＩＭカードの状態を監視し、ＳＩＭカードの状態が異常であることが監視されると警告を発するためのカード監視及び警告サブモジュール２３５を含む。
【００４１】
具体的には、本実施例では、そのカード監視及び警告サブモジュール２３５は、ＳＩＭカードの状態が異常であることを監視した場合、カード管理インターフェースモジュール２２を介して異常状態情報及び警告情報をカード管理インターフェースモジュール２２に伝達し、かつカード管理インターフェースモジュール２２を介して情報をカードサービスモジュール２１に伝達し、さらに、当該カードサービスモジュール２１は、異常状態情報及び警告情報をクラウドＳＩＭカードサーバに報告し、ＳＩＭカードへの監視及び警告を実現する。
【００４２】
本発明の一実施例では、カードサービスモジュール２１から発行されたサービスコマンドはさらに、ＳＩＭカードの具体的な情報をクエリするためのクエリコマンド、追加して生成されたクラウドＳＩＭカードを削除するためのカード削除コマンド、モデムにロードされたＳＩＭカードの使用を無効化するための無効化コマンド、クラウドＳＩＭカードサーバに共有されたＳＩＭカードの共有を停止するための共有停止コマンド、及びＳＩＭカード内のファイル内容を修正するためのファイル修正コマンドなどを含む。理解されるように、ここでカードサービスモジュール２１から発行されたサービスコマンドの例は、理解を容易にするためのものに過ぎず、本発明ではこれらに限定されず、実際の状況に応じて選択することができる。
【００４３】
そのカード管理モジュール２３はさらに、カードクエリモジュール、カード削除モジュール、カード無効化モジュール、カード共有停止モジュール、及びカード修正モジュールを含む。
【００４４】
例えば、カードサービスモジュール２１から送信された、ＳＩＭカードをクエリするためのカードクエリコマンドを取得した場合、カードクエリモジュールは、カード物理インターフェースモジュール２４を呼び出してＳＩＭカードの情報を読み取る。
【００４５】
カードサービスモジュール２１から送信された、ＳＩＭカードを削除するためのカード削除コマンドを取得した場合、カード削除モジュールは、カード物理インターフェースモジュール２４を呼び出して削除が必要なＳＩＭカードを削除し、指摘されるように、削除が必要なＳＩＭカードは、ソフトカードやリモートＳＩＭカードなどのクラウドＳＩＭカードモジュール内にダウンロードされたクラウドＳＩＭカードであり、ここで、当該クラウドＳＩＭカードモジュールが通信端末から削除された後、そのクラウドＳＩＭカードのリソースは、クラウドＳＩＭカードサーバによって回収されてもよく、このとき、そのクラウドＳＩＭカードサーバは、当該クラウドＳＩＭカードを他の通信端末に再割り当てて使用することができる。
【００４６】
カードサービスモジュール２１から送信された、ＳＩＭカードを無効化するためのカード無効化コマンドを取得した場合、カード無効化モジュールは、無効化が必要なＳＩＭカードのタイプを取得し、無効化が必要なＳＩＭカードがモデム内にマウントされた物理ＳＩＭカード又はｅＳＩＭカードである場合、カード無効化モジュールは、カード物理インターフェースモジュール２４を呼び出すことにより、カード物理インターフェースモジュール２４がモデム物理カード駆動モジュール２５２を呼び出して無効化が必要なＳＩＭカードを停止し、かつモデムのハードウェアリソースを解放するようにし、それによってユーザは非モデム側に設けられたＳＩＭカードをモデムにロードすることができる。無効化が必要なＳＩＭカードが非モデム側に設けられたがモデムにロードされたクラウドＳＩＭカード、物理ＳＩＭカード、又はｅＳＩＭカードである場合、カード無効化モジュールは、カード物理インターフェースモジュール２４を呼び出すことにより、カード物理インターフェースモジュール２４がモデム仮想カード駆動モジュール２５１を呼び出してＳＩＭカードへのロードを停止し、かつモデムのハードウェアリソースを解放するようにする。
【００４７】
カードサービスモジュール２１から送信された、ＳＩＭカードの共有を停止するための共有停止コマンドを取得した場合、カード共有停止モジュールは、カード物理インターフェースモジュール２４を介して非モデム側に設けられた必要なクラウドＳＩＭカード、物理ＳＩＭカード、又はｅＳＩＭカードの共有を停止し、又は、カード物理インターフェースモジュール２４を介してモデム仮想カード駆動モジュール２５１を呼び出して、モデム内にマウントされた物理ＳＩＭカード、又はｅＳＩＭカードの共有を停止し、又は、カード物理インターフェースモジュール２４を介してモデム物理カード駆動モジュール２５２を呼び出して、非モデム側からモデム内にロードされたクラウドＳＩＭカード、物理ＳＩＭカード、又はｅＳＩＭカードの共有を停止する。
【００４８】
カードサービスモジュール２１から送信された、ＳＩＭカードを修正するためのファイル修正コマンドを取得した場合、カード修正モジュールは、カード物理インターフェースモジュール２４を介して修正が必要なＳＩＭカードのファイル内容を修正する。
【００４９】
本発明の実施例では、設けられたカードサービスモジュールにより、ＳＩＭカードの様々な操作に対するサービスコマンドを発行し、かつカード管理インターフェースモジュールを介してサービスコマンドをカード管理モジュールに伝達することができ、このとき、カード管理モジュール内の対応する各サブモジュールにより、カード物理インターフェースモジュールを呼び出して様々なサービス機能を実現でき、同時に、カード物理インターフェースモジュールにより、非モデム側に設けられたＳＩＭカードの読み取り及び書き込み操作を実現でき、これにより、ＳＩＭカードデータの修正及びＳＩＭカードの追加と削除、及びＳＩＭカードに対する監視及び警告を実現でき、同時に、カード物理インターフェースモジュールによりモデム駆動モジュールを呼び出すため、モデム駆動モジュールは、非モデム側のＳＩＭカードをモデム内にロードして通信し、又は他のユーザが使用するためにクラウドＳＩＭカードサーバに共有し、又はモデム内にマウントされたＳＩＭカードの共有、有効化、無効化及び監視などの操作を実現でき、それによって様々なＳＩＭカードリソースの動的な管理を実現し、ＳＩＭカードの管理効率を効果的に向上させる。
【００５０】
実施例二
図２は、本発明の実施例二による通信端末の構造概略図であり、図２に示すように、当該通信端末には、実施例一で示されるＳＩＭカードリソース管理及びスケジューリング装置２０が設けられ、その実現原理及び得られた技術的効果は実施例一と同じであり、簡単に説明するために、本発明の実施例で言及されていない部分については、実施例一の対応する内容を参照することができる。
【００５１】
本発明の一実施例では、通信端末２００は、スマートフォン、コンピューター、パーソナルデジタルアシスタント、タブレットデバイスなどを含むが、これらに限定されない。ここで、通信端末２００は、非モデム側に複数のＳＩＭカードスロット３０、ｅＳＩＭカード、及びクラウドＳＩＭカードモジュール４０が設けられてもよく、ここで、クラウドＳＩＭカードモジュール４０はソフトカードモジュールとリモートＳＩＭカードモジュールを含む。ここで、当該通信端末２００にモデム５０が設けられ、そのモデム５０に物理ＳＩＭカードや集積ｅＳＩＭカードを直接挿入してモデム内に直接マウントして移動通信を行うことができ、ここで、モデム駆動モジュール２５がモデム内に設けられている。
【００５２】
このとき、ユーザは、通信端末２００のアプリケーションプログラムにより、非モデム側に設けられたＳＩＭカードをモデム５０にロードして待機通信を行うか、又はモデムにマウントされたＳＩＭカードを無効化してモデムのリソースを解放するかを選択するように制御することができる。
【００５３】
ＳＩＭカードを使用して電話、ショートメッセージ（ＳＭＳ）やモバイルデータなどの通信サービスを行う場合、通信端末２００は、モデム５０によってロードされたＳＩＭカードを呼び出すことで通信する。モデム５０は、モデム５０に設けられたＳＩＭカード又は非モデム側のＳＩＭカードをロードすることができるので、通信端末２００における複数のＳＩＭカードのリソースを管理及びスケジューリングすることができ、ユーザがＳＩＭカードを交換する必要がある場合、通信端末２００のＳＩＭカードを頻繁に挿入したり、取り外したり、交換したりするという問題が回避される。
【００５４】
本実施例による通信端末２００には０枚以上の物理ＳＩＭカードが挿入されてもよく、通信端末に物理ＳＩＭカードが挿入されていない場合、必要なクラウドＳＩＭカードをダウンロードし、かつダウンロードしたクラウドＳＩＭカードをモデム５０にロードしてスタンバイすることで、ＳＩＭカードを挿入せずに移動通信を実現できる。通信端末２００に複数枚の物理ＳＩＭカードが挿入されている場合、ロード又は無効化した物理ＳＩＭカードを選択することにより、モデム５０の限られたハードウェアリソースの下で、異なるＳＩＭカードのリソースを管理及びスケジューリングすることができる。ここで、通信端末２００内のＳＩＭカードは、それ自体で切り替えて使用されてもよく、また、外部の通信端末がＳＩＭカードを使用するように、クラウドＳＩＭカードサーバに共有されてもよく、同時に、ＳＩＭカードを監視及び警告することにより、ＳＩＭカードの状態が異常となる時に報告することができる。
【００５５】
実施例三
図３は、本発明の実施例によるＳＩＭカードリソース管理及びスケジューリングシステムのネットワークアーキテクチャ図であり、説明を容易にするために、本発明に関連する部分のみが示される。
【００５６】
具体的には、図４は、本発明の実施例によるＳＩＭカードリソース管理及びスケジューリングシステム１００の構造概略図であり、当該ＳＩＭカードリソース管理及びスケジューリングシステム１００は、上記の実施例二で示される通信端末２００と、通信ネットワークを介して通信端末２００と無線で通信するクラウドＳＩＭカードサーバ３００とを含み、その通信端末２００の実現原理及び得られた技術的効果は実施例二と同じであり、簡単に説明にするために、本発明の実施例で言及されていない部分については、実施例二の対応する内容を参照することができる。
【００５７】
本発明の一実施例では、通信端末２００は、通信ネットワークを介してクラウドＳＩＭカードサーバ３００と通信するためのものであり、ここで、通信端末２００は、スマート端末、コンピューター、パーソナルデジタルアシスタント、タブレットデバイスなどであってもよい。ここで挙げられた通信端末は、理解を容易にするためのものに過ぎず、本発明ではこれらに限定されず、実際の状況に応じて選択することができる。
【００５８】
本発明の一実施例では、クラウドＳＩＭカードサーバ３００には、様々なクラウドＳＩＭカードが記憶されており、そのクラウドＳＩＭカードは、クラウドＳＩＭカードサーバ３００側に設けられた物理ＳＩＭカード、ソフトカード又は他のタイプのＳＩＭカード（例えば、ｅＳＩＭカード、マルチＩＭＳＩカードなど）であってもよいし、通信端末などの端末デバイスによってクラウドＳＩＭカードサーバに共有されたＳＩＭカードであってもよく、理解されるように、ここで挙げられたクラウドＳＩＭカードの例は、理解を容易にするためのものであり、本発明ではこれらに限定されず、実際の状況に応じて選択することができる。
【００５９】
本発明の一つの好適な実施例として、クラウドＳＩＭカードがクラウドＳＩＭカードサーバ３００側に設けられた物理ＳＩＭカードである場合、クラウドサーバは、適切な物理ＳＩＭカードを選択し、かつＳＩＭカードの必要なデータ情報を通信端末にダウンロードし、キャリアモバイルネットワークとの認証を行う際に、クラウドＳＩＭカードサーバと対話してキャリアモバイルネットワークの認証操作を完了させる。それは、移動端末のリモートＳＩＭカードモジュール内にダウンロードされてリモートＳＩＭカードとして使用される。
【００６０】
本発明の別の好適な実施例として、クラウドＳＩＭカードがソフトカードである場合、クラウドＳＩＭカードサーバは、ソフトカードの認証データも通信端末に発行することができ、これにより、通信端末はローカル認証機能を有している。それは、移動端末のソフトカードモジュール内にダウンロードされてソフトカードとして使用される。
【００６１】
上記のクラウドＳＩＭカード管理サーバは、１台のサーバであっても、複数台のサーバで構成されたサーバ群であってもよく、又は１つのクラウドコンピューティングサービスセンターであってもよく、データの記憶及び処理を行うことができる。
【００６２】
本発明の一実施例では、クラウドＳＩＭカードサーバ３００は、カードサービスモジュール２１から送信された様々なサービスリクエストを受信し、及び／又はリクエスト応答をカードサービスモジュール２１に発行するために使用され、ここで、リクエスト応答が、受信したカードサービスモジュール２１から発行された様々なサービスリクエストに従ってクラウドＳＩＭカードサーバ３００によって行われた応答である。
【００６３】
本発明の一実施例では、当該サービスリクエストは、デバイス識別情報を含んでもよく、ユーザが無線ローカルエリアネットワークを用いて通信端末２００とクラウドＳＩＭカードサーバ３００との間で無線通信を行う場合、通信端末２００のデバイス識別情報の一意性により、各通信端末２００のデバイスを識別することができ、したがって、通信端末２００から送信されたサービスリクエストにデバイス識別情報が含まれている場合、当該デバイス識別情報に基づいて通信端末２００を迅速に見つけ出すことができる。具体的には、本実施例では、そのデバイス識別情報は、通信端末２００を識別するためのものであり、ＩＭＥＩ（Ｉｎｔｅｒｎａｔｉｏｎａｌ  ＭｏｂｉｌｅＥｑｕｉｐｍｅｎｔ  Ｉｄｅｎｔｉｔｙ：国際モバイルデバイス識別コード）であってもよいし、ユーザの身分証番号又は電話番号であってもよく、理解されるように、ここで挙げられたデバイス識別情報の例は、理解を容易にするためのものであり、本発明ではこれらに限定されず、通信ネットワーク内の通信端末２００を識別すればよく、実際の状況に応じて選択することができる。
【００６４】
具体的には、通信端末２００上の様々なＳＩＭカードに対してリソースのスケジューリング及び管理を行う場合、ユーザが複数のＳＩＭカードを使用するとき、通信端末２００に插入可能なＳＩＭカードの数が限られている。そのため、ユーザの使用されていないＳＩＭカードをＳＩＭＢＯＸ（ＳＩＭカードボックス）に挿入して、クラウドＳＩＭカードの方式で使用し、自分で使用でき、他人と共有して使用することもできる。
【００６５】
ここで、上記ＳＩＭＢＯＸは、マルチカード及びマルチスタンバイを実現するためのＳＩＭカード管理装置であり、ユーザは、ＳＩＭＢＯＸを電源及びネットワークケーブルに接続し、各ＳＩＭカードをＳＩＭＢＯＸ内に挿入することにより、ＳＩＭＢＯＸ内の各ＳＩＭカードの状態をデバイス側で遠隔管理し、各ＳＩＭカードのオンライン、オフラインを自由に切り替えることができる。
【００６６】
当該ＳＩＭカードリソーススケジューリング及び管理システムの応用シーンは複数であってもよく、具体的には、以下のとおりである。
【００６７】
シーン1において、通信端末２００上の非モデム側には、複数のＳＩＭカードスロット３０が集積されており、ユーザは、物理ＳＩＭカードをＳＩＭカードスロット３０に挿入し、かつアプリケーションプログラムを介して非モデム側に設けられた物理ＳＩＭカードをモデム５０にロードするように制御し、このとき、通信端末２００の制御により、ＳＩＭカードスロット３０に設けられた各物理ＳＩＭカードを切り替えて使用する。
【００６８】
シーン２において、ユーザは、アプリケーションプログラムにより、通信端末２００に固定設けられたｅＳＩＭカードをモデム５０にロードするように制御し、このとき、通信端末２００の制御により、ｅＳＩＭカードの切り替えを実現する。
【００６９】
シーン３において、通信端末２００は、クラウドＳＩＭカードサーバ３００からクラウドＳＩＭカードデータをクラウドＳＩＭカードモジュール４０にダウンロードし、かつモデム駆動モジュールを介してクラウドＳＩＭカードをモデム５０にロードして使用する。
【００７０】
シーン４において、通信端末２００上の非モデム側には、複数のＳＩＭカードスロット３０及び固定設けられたｅＳＩＭカードがあり、ユーザは、物理ＳＩＭカードをＳＩＭカードスロット３０又はモデムに挿入し、かつアプリケーションプログラムにより、物理ＳＩＭカード又はｅＳＩＭカードをクラウドＳＩＭカードサーバ３００に共有するように制御し、これにより、他のデバイスは、非モデム側に設けられた物理ＳＩＭカード及びｅＳＩＭカード、又はモデム内に挿入された物理ＳＩＭカード及びｅＳＩＭカードを使用する。
【００７１】
前記複数の応用シーンによれば、本発明の実施例はさらに、当該ＳＩＭカードリソース管理システムに応用される複数の使用方法を提案し、本発明の実施例では、その応用シーンは主に、クラウドＳＩＭカードの割当操作、ＳＩＭカードの更新操作、ＳＩＭカードの監視及び警告操作、ＳＩＭカードの使用操作、及びＳＩＭカードの共有操作に使用される。
【００７２】
実施例四
図５は、本発明の実施例によるＳＩＭカードの割当方法のフローチャートであり、当該カード割当方法は、ＳＩＭカードリソーススケジューリング及び管理システムに応用され、以下のステップを含む。
【００７３】
ステップＳ４０１、カードサービスモジュールは、カード割当リクエストをクラウドＳＩＭカードサーバに送信する。
【００７４】
ここで、ユーザが通信端末を使用してクラウドＳＩＭカードを追加する必要がある場合、ユーザは、通信端末を用いてカード割当リクエストをクラウドＳＩＭカードサーバに送信し、ここで、その通信端末とクラウドＳＩＭカードサーバとの間の通信方式がＧＳＭ、ＧＰＲＳ、ＣＤＭＡ、ＷＣＤＭＡ（登録商標）、ＬＴＥ、ＷＬＡＮ、及びイーサネットなどを含むが、本発明では限定されない。
【００７５】
ここで、指摘されるように、当該クラウドＳＩＭカードは、クラウドＳＩＭカードサーバ側に設けられた物理ＳＩＭカード、ソフトカード又は他のタイプのＳＩＭカード（例えば、ｅＳＩＭカード、マルチＩＭＳＩカードなど）又は他の端末に共有されたＳＩＭカードであってもよく、理解されるように、ここで挙げられたクラウドＳＩＭカードの例は、理解を容易にするためのものであり、本発明ではこれらに限定されず、実際の状況に応じて選択することができる。
【００７６】
ステップＳ４０２、クラウドＳＩＭカードサーバは、カード割当リクエストに従って、クラウドＳＩＭカードデータを含むカード割当応答をカードサービスモジュールに返信する。
【００７７】
ここで、クラウドＳＩＭカードサーバは、カードサービスモジュールから送信されたカード割当リクエストを受信すると、記憶されたクラウドＳＩＭカードを取得し、かつクラウドＳＩＭカードがある場合、クラウドＳＩＭカードデータを含むカード割当応答をカードサービスモジュールに返信する。
【００７８】
クラウドＳＩＭカードサーバにクラウドＳＩＭカードがない場合、クラウドＳＩＭカードデータを含まないカード割当応答を返信し、これにより、通信端末は、クラウドＳＩＭカードが不足しているため、クラウドＳＩＭカードサーバがカード割当操作を行うことができないと確定する。
【００７９】
ステップＳ４０３、カードサービスモジュールは、カード割当応答に従って、クラウドＳＩＭカードデータを含むカード割当コマンドをカード管理インターフェースモジュールに送信する。
【００８０】
ここで、カードサービスモジュールがクラウドＳＩＭカードサーバから送信されたカード割当応答を受信すると、カード割当応答の応答データにクラウドＳＩＭカードデータが含まれる場合、当該カード割当応答が成功状態にあると確定し、そうでない場合、当該カード割当応答が失敗状態にあると確定し、このとき、クラウドＳＩＭカードサーバからカードを割り当てることができないという情報が表示され、カードを割り当てることができないことをユーザにプロンプトする。
【００８１】
ここで、当該クラウドＳＩＭカードデータは、カードタイプ、電話番号、集積回路カード識別コード（Ｉｎｔｅｇｒａｔｅ  ｃｉｒｃｕｉｔ  ｃａｒｄ  ｉｄｅｎｔｉｔｙ：ＩＣＣＩＤ）、国際モバイル加入者識別コード（ＩｎｔｅｒｎａｔｉｏｎａｌＭｏｂｉｌｅ  Ｓｕｂｓｃｒｉｂｅｒ  Ｉｄｅｎｔｉｆｉｃａｔｉｏｎ  Ｎｕｍｂｅｒ：ＩＭＳＩ）の１つ、又はそれらの組み合わせを含むが、これらに限定されない。
【００８２】
このとき、カードサービスモジュールは、カード割当応答に従って、クラウドＳＩＭカードデータを含むカード割当コマンドをカード管理インターフェースモジュールに送信する。
【００８３】
ステップＳ４０４、カード管理インターフェースモジュールは、カード割当コマンドをカード管理モジュールに送信する。
【００８４】
ここで、カード管理インターフェースモジュールは、カードサービスモジュールとカード管理モジュールとの間の通信インターフェースを提供するために使用され、このとき、カード管理インターフェースモジュールは、受信したカード割当コマンドをカード管理モジュールに伝達する。
【００８５】
ステップＳ４０５、カード管理モジュールに対応するカードインストールサブモジュールは、カード物理インターフェースモジュールを呼び出してカード割当コマンドを実行する。
【００８６】
ステップＳ４０６、カード物理インターフェースモジュールは、クラウドＳＩＭカードモジュールに対してカード割当コマンドを実行することで、クラウドＳＩＭカードデータをクラウドＳＩＭカードモジュールに書き込み、必要なクラウドＳＩＭカードをインストールして生成する。
【００８７】
ここで、カード管理モジュールは、取得したカード管理インターフェースモジュールから伝達されたカード割当コマンドに応じて、カードインストールサブモジュールを呼び出し、このとき、カードインストールサブモジュールは、クラウドＳＩＭカードデータを含むカード割当コマンドに応じて、カード物理インターフェースモジュールを呼び出し、これにより、カード物理インターフェースモジュールは、それに接続されたクラウドＳＩＭカードモジュールにクラウドＳＩＭカードデータを含むカード割当コマンドを書き込み、かつこの含まれるクラウドＳＩＭカードデータ内のカードタイプに応じて、クラウドＳＩＭカードをインストールして生成する。
【００８８】
ステップＳ４０７、クラウドＳＩＭカードモジュールへのクラウドＳＩＭカードデータの書き込みが完了すると、カード割当完了応答をカード物理インターフェースモジュールに返す。
【００８９】
ここで、クラウドＳＩＭカードの書き込み操作を完了するために、カード管理モジュール、カード物理インターフェースモジュール、クラウドＳＩＭカードモジュールは複数回対話する可能性がある。
【００９０】
ステップＳ４０８、カード物理インターフェースモジュールは、カード割当完了応答をカード管理モジュールに送信する。
【００９１】
ステップＳ４０９、カード管理モジュールは、カード割当完了応答をカード管理インターフェースモジュールに送信する。
【００９２】
ステップＳ４１０、カード管理インターフェースモジュールは、カード割当完了応答をカードサービスモジュールに伝達し、カードサービスモジュールのカード割当操作を完了する。
【００９３】
ここで、カード物理インターフェースモジュールは、クラウドＳＩＭカードモジュールにクラウドＳＩＭカードデータを含むカード割当コマンドを書き込み、かつクラウドＳＩＭカードを生成した後、カード割当完了応答をカード管理インターフェースモジュールに返信し、カード管理インターフェースモジュールは、カード割当完了応答をカードサービスモジュールに伝達する。
【００９４】
本発明によるＳＩＭカード割当方法により、クラウドＳＩＭカードサーバ上のクラウドＳＩＭカードを通信端末に割り当てて書き込み、通信端末へのクラウドＳＩＭカードのインストール及び追加することができる。
【００９５】
実施例五
図６は、本発明の実施例によるＳＩＭカード使用方法のフローチャートであり、当該使用方法は、ＳＩＭカードリソーススケジューリング及び管理システムに応用され、以下のステップを含む。
【００９６】
ステップＳ５０１、カードサービスモジュールは、有効化待ちＳＩＭカード識別子を含む使用コマンドをカード管理インターフェースモジュールに送信する。
【００９７】
ここで、有効化待ちＳＩＭカードは、非モデム側に設けられたクラウドＳＩＭカード、物理カード、及びｅＳＩＭカード、又はモデムに設けられた物理カード及びｅＳＩＭカードを含み、ここで、クラウドＳＩＭカードとは、ユーザが通信端末を用いてクラウドＳＩＭカードサーバ内の特定のチャネルを介してクラウドＳＩＭカードモジュール内にダウンロードされたＳＩＭカードである。
【００９８】
ユーザが通信端末を用いて非モデム側に設けられたＳＩＭカードを有効化する必要がある場合、ユーザは、通信端末により、使用コマンドを送信して有効化待ちＳＩＭカードをモデムにロードするようにカードサービスモジュールを制御する。このとき、カードサービスモジュールは、使用コマンドが有効化待ちＳＩＭカード識別子を含む使用コマンドをカード管理インターフェースモジュールに送信する。
【００９９】
ステップＳ５０２、カード管理インターフェースモジュールは、使用コマンドをカード管理モジュールに伝達する。
【０１００】
ここで、カード管理インターフェースモジュールは、カードサービスモジュールとカード管理モジュールとの間の通信インターフェースを提供するために使用され、このとき、カード管理インターフェースモジュールは、受信した使用コマンドをカード管理モジュールに伝達する。
【０１０１】
ステップＳ５０３、カード管理モジュールに対応するカード使用サブモジュールは、カード物理インターフェースモジュールを呼び出して使用コマンドを実行する。
【０１０２】
ステップＳ５０４、カード物理インターフェースモジュールは、モデム仮想カード駆動モジュールを呼び出して使用コマンドを実行する。
【０１０３】
ステップＳ５０５、モデム仮想カード駆動モジュールは、有効化待ちＳＩＭカードをモデム内にロードする。
【０１０４】
ここで、モデム仮想カード駆動モジュールは、非モデム側に設けられたＳＩＭカードとモデムとの間の駆動インターフェースを提供し、このとき、カード物理インターフェースモジュールは、受信したカード使用サブモジュールから送信された使用コマンドに従って、モデム仮想カード駆動モジュールを呼び出して有効化待ちＳＩＭカードをモデムにロードし、仮想ＳＩＭカードを有効化する。
【０１０５】
ステップＳ５０６、モデム仮想カード駆動モジュールは、有効化待ちＳＩＭカードをモデムロードして完了すると、有効化完了応答をカード物理インターフェースモジュールに送信する。
【０１０６】
ステップＳ５０７、カード物理インターフェースモジュールは、有効化完了応答をカード管理モジュールに送信する。
【０１０７】
ステップＳ５０８、カード管理モジュールは、有効化完了応答をカード管理インターフェースモジュールに送信する。
【０１０８】
ステップＳ５０９、カード管理インターフェースモジュールは、有効化完了応答をカードサービスモジュールに送信し、カードサービスモジュールの有効化操作を完了する。
【０１０９】
ここで、そのモデム仮想カード駆動モジュールは、有効化待ちＳＩＭカードをモデムにロードする場合、ＳＩＭカードデータを数回読み書きする必要がある可能性がある。具体的には、以下のステップで実現される。
【０１１０】
１、モデム仮想カード駆動モジュールは、ＳＩＭカードデータの読み書きリクエストをカード物理インターフェースモジュールに送信する。
【０１１１】
２、カード物理インターフェースモジュールは、モデム内にロードされたＳＩＭカードに対してＳＩＭカードデータの読み書きリクエストを実行する。
【０１１２】
３、カード物理インターフェースモジュールが仮想ＳＩＭカードに対してＳＩＭカードデータの読み書きリクエスト操作を実行して完了すると、返されたＳＩＭカードデータの読み書き応答を受信する。
【０１１３】
４、カード物理インターフェースモジュールは、ＳＩＭカードデータの読み書き応答をモデム仮想カード駆動モジュールに送信する。
【０１１４】
ここで、指摘されるように、有効化待ちＳＩＭカードがリモートＳＩＭカードモジュール内のリモートＳＩＭカードである場合、リモートＳＩＭカードをモデムにロードする過程では、さらに、クラウドＳＩＭカードサーバから発行されたリモートＳＩＭカードの使用を実現するために、通信端末とクラウドＳＩＭカードサーバがキャリアモバイルネットワークの認証操作を行う必要がある。
【０１１５】
同時に、指摘されるように、モデムにロードできるＳＩＭカードリソースの数が上限に達した場合、そのユーザは、無効化されたＳＩＭカードを選択して、モデムから当該無効化のＳＩＭカードリソースを解放することにより、他の物理ＳＩＭカード又はｅＳＩＭカード又はクラウドＳＩＭカードをモデムにロードして有効化することができる。
【０１１６】
本発明によるＳＩＭカード使用方法により、ＳＩＭカードをモデムにロードして、通信端末でＳＩＭカードを使用することができる。
【０１１７】
実施例六
図７は、本発明の実施例によるＳＩＭカード共有方法のフローチャートであり、当該共有方法は、ＳＩＭカードリソーススケジューリング及び管理システムに応用され、以下のステップを含む。
【０１１８】
ステップＳ６０１、カードサービスモジュールは、共有待ちＳＩＭカードのデータの一部を含む共有コマンドをカード管理インターフェースモジュールに送信する。
【０１１９】
ここで、ユーザが非モデム側に設けられたＳＩＭカード、又はモデムにロードされたＳＩＭカードをクラウドＳＩＭカードサーバに共有する必要がある場合、ユーザは、通信端末を介して共有コマンドをカード管理インターフェースモジュールに送信し、これにより、他の通信端末は、共有された通信端末上のＳＩＭカードをクラウドＳＩＭカードサーバを介してダウンロードして使用する。
【０１２０】
ここで、非モデム側に設けられたＳＩＭカードは、非モデム側に設けられたクラウドＳＩＭカード、物理ＳＩＭカード、及びｅＳＩＭカードを含むが、モデムにロードされたＳＩＭカードは、モデム内にマウントされた物理ＳＩＭカードやｅＳＩＭカード、又は非モデム側からモデム内にロードされた仮想ＳＩＭカード、物理ＳＩＭカード、及びｅＳＩＭカードを含む。
【０１２１】
ここで、当該ＳＩＭカードの一部データは、電話番号、集積回路カード識別コード（Ｉｎｔｅｇｒａｔｅｃｉｒｃｕｉｔ  ｃａｒｄ  ｉｄｅｎｔｉｔｙ：ＣＣＩＤ）、国際モバイルユーザ識別コード（Ｉｎｔｅｒｎａｔｉｏｎａｌ  ＭｏｂｉｌｅＳｕｂｓｃｒｉｂｅｒ  Ｉｄｅｎｔｉｆｉｃａｔｉｏｎ  Ｎｕｍｂｅｒ：ＭＳＩ）のうちの１つ又はそれらの組み合わせを含むが、これらに限定されない。
【０１２２】
ステップＳ６０２、カード管理インターフェースモジュールは、共有コマンドをカード管理モジュールに伝達する。
【０１２３】
ステップＳ６０３、カード管理モジュールに対応するカード共有サブモジュールは、共有コマンドをカード物理インターフェースモジュールに送信する。
【０１２４】
ステップＳ６０４、カード物理インターフェースモジュールは、共有待ちＳＩＭカードの位置及びタイプを判断する。
【０１２５】
ここで、共有待ちＳＩＭカードが非モデム側に位置するＳＩＭカードであると判断する場合、ステップＳ６０５を実行し、共有待ちＳＩＭカードがモデム内にマウントされたＳＩＭカードであると判断する場合、ステップＳ６０６を実行し、共有待ちＳＩＭカードが非モデム側からモデム内にロードされたＳＩＭカードであると判断する場合、ステップＳ６０９を実行する。
【０１２６】
ここで、共有待ちＳＩＭカードは、非モデム側に位置するＳＩＭカード、モデム内にマウントされたＳＩＭカード、非モデム側からモデム内にロードされたＳＩＭカードのいずれであってもよく、したがって、共有待ちＳＩＭカードを共有する場合、そのカード物理インターフェースモジュールは、共有待ちＳＩＭカードの位置及びタイプを判断する必要がある。
【０１２７】
ステップＳ６０５、カード物理インターフェースモジュールは、非モデム側に位置するＳＩＭカードの必要なデータを読み取る。
【０１２８】
ここで、共有待ちＳＩＭカードが非モデム側に位置するＳＩＭカードであると判断された場合、カード物理インターフェースモジュールは、ＳＩＭカードに対して共有操作を直接実行し、共有とは、ＳＩＭカード自体の共有であってもよいし、音声、データ、ＳＭＳなどの一部の機能の共有であってもよい。
【０１２９】
ステップＳ６０６、カード物理インターフェースモジュールは、モデム物理カード駆動モジュールを呼び出して共有コマンドを実行する。
【０１３０】
ここで、共有待ちＳＩＭカードがモデム内にマウントされたＳＩＭカードであると判断された場合、それに応じてモデム物理カード駆動モジュールを呼び出して、モデム物理カード駆動モジュールに共有コマンドを実行させる。
【０１３１】
ステップＳ６０７、モデム物理カード駆動モジュールは、共有コマンドを実行して、共有コマンドにおける共有待ちＳＩＭカードのデータの一部に応じて、対応するＳＩＭカードに対して共有操作を実行する。
【０１３２】
ここで、モデム物理カード駆動モジュールは、モデムにマウントされたＳＩＭカードを操作するための駆動を提供し、ＳＩＭモデムにマウントされたＳＩＭカードの共有、有効化、又は無効化を実現することができる。
【０１３３】
ステップＳ６０８、モデム物理カード駆動モジュールは、共有応答をカード物理インターフェースモジュールに返信する。
【０１３４】
ステップＳ６０９、カード物理インターフェースモジュールは、モデム仮想カード駆動モジュールを呼び出して共有コマンドを実行する。
【０１３５】
ステップＳ６１０、モデム仮想カード駆動モジュールは、共有コマンドを実行して、共有コマンドにおける共有待ちＳＩＭカードのデータの一部に応じて、対応するＳＩＭカードに対して共有操作を実行する。
【０１３６】
ここで、モデム仮想カード駆動モジュールは、非モデム側に設けられたＳＩＭカードをモデムで操作するための駆動を提供し、非モデム側に設けられたＳＩＭカードをモデムにロードして使用し、又はクラウドＳＩＭカードサーバに共有し、又は非モデム側に設けられたがモデムにロードされたＳＩＭカードを無効化することができる。
【０１３７】
ステップＳ６１１、モデム仮想カード駆動モジュールは、共有応答をカード物理インターフェースモジュールに返信する。
【０１３８】
ここで、モデム仮想カード駆動モジュールは、共有応答をカード物理インターフェースモジュールに送信して、当該ＳＩＭカードをクラウドＳＩＭカードサーバに共有する。
【０１３９】
ここで、指摘されるように、ステップＳ６０５、ステップＳ６０６〜Ｓ６０８、及びステップＳ６０９〜Ｓ６１１は、３つの並行ステップであり、カード管理インターフェースモジュールによって判断された共有待ちＳＩＭカードの位置及びタイプによって対応して実施され、上記のステップＳ６０５、ステップＳ６０６、及びステップＳ６１１は、順不同で実行され、いずれも対応するステップが実行された後にステップＳ６１２に進む。
【０１４０】
ステップＳ６１２、カード物理インターフェースモジュールは、共有応答をカード管理モジュールに送信する。
【０１４１】
ステップＳ６１３、カード管理モジュールは、共有応答をカード管理インターフェースモジュールに送信する。
【０１４２】
ステップＳ６１４、カード管理インターフェースモジュールは、共有応答をカードサービスモジュールに送信する。
【０１４３】
ステップＳ６１５、カードサービスモジュールは、共有応答をクラウドＳＩＭカードサーバに送信して、ＳＩＭカードをクラウドＳＩＭカードサーバに共有する。
【０１４４】
本発明によるＳＩＭカード共有方法により、通信端末に設けられたＳＩＭカードをクラウドＳＩＭカードサーバに共有して、他の通信端末がクラウドＳＩＭカードサーバを介して、共有された通信端末上のＳＩＭカードをダウンロードして使用するようにする。
【０１４５】
実施例七
図８は、本発明の実施例によるＳＩＭカード更新方法のフローチャートであり、当該使用方法は、ＳＩＭカードリソーススケジューリング及び管理システムに応用され、以下のステップを含む。
【０１４６】
ステップＳ７０１、カードサービスモジュールは、更新リクエストをクラウドＳＩＭカードサーバに送信する。
【０１４７】
従って、ユーザが通信端末内のＳＩＭカードファイルデータを更新する必要がある場合、ユーザが通信端末を用いて更新リクエストをクラウドＳＩＭカードサーバに送信し、ここで、その通信端末とクラウドＳＩＭカードサーバとの間の通信方式がＧＳＭ、ＧＰＲＳ、ＣＤＭＡ、ＷＣＤＭＡ（登録商標）、ＬＴＥ、ＷＬＡＮ、及びイーサネットなどを含むが、本発明では限定されない。
【０１４８】
ここで、更新リクエストには、当該通信端末のＳＩＭカード識別情報、リクエスト情報、及びデバイス識別情報が含まれる。
【０１４９】
ステップＳ７０２、クラウドＳＩＭカードサーバは、更新リクエストに従って、情報が更新されたＳＩＭカードファイルデータを含む更新応答を返信する。
【０１５０】
ここで、クラウドＳＩＭカードサーバは、カードサービスモジュールから送信された更新リクエストを受信すると、更新リクエストにおける更新が必要なＳＩＭカードを取得し、それに応じて当該ＳＩＭカードのファイルデータを更新し、情報が更新されたＳＩＭカードファイルデータを含む更新応答をカードサービスモジュールに返信する。
【０１５１】
ステップＳ７０３、カードサービスモジュールは、更新応答に従って、更新コマンドをカード管理インターフェースモジュールに送信する。
【０１５２】
このとき、カードサービスモジュールは、更新応答に従って、ＳＩＭカードファイルデータを含む更新コマンドをカード管理インターフェースモジュールに送信する。
【０１５３】
ステップＳ７０４、カード管理インターフェースモジュールは、更新コマンドをカード管理モジュールに伝達する。
【０１５４】
ここで、カード管理インターフェースモジュールは、カードサービスモジュールとカード管理モジュールとの間の通信インターフェースを提供するために使用され、このとき、カード管理インターフェースモジュールは、受信した更新コマンドをカード管理モジュールに伝達する。
【０１５５】
ステップＳ７０５、カード管理モジュールに対応するカード更新サブモジュールは、更新コマンドに従って、カード物理インターフェースモジュールを呼び出して更新コマンドを実行する。
【０１５６】
ステップＳ７０６、カード物理インターフェースモジュールは、ＳＩＭカード識別情報に対応するＳＩＭカードに対して更新コマンドを実行して、ＳＩＭカードファイルデータを対応するＳＩＭカードに書き込む。
【０１５７】
ここで、カード管理モジュールは、取得したカード管理インターフェースモジュールから伝達された更新コマンドに応じて、カード更新サブモジュールを呼び出し、このとき、カード更新サブモジュールは、更新コマンドに含まれるＳＩＭカードファイルデータに応じて、カード物理インターフェースモジュールを呼び出し、これにより、カード物理インターフェースモジュールは、更新コマンドに含まれるＳＩＭカードファイルデータをクラウドＳＩＭカードモジュール内の対応するＳＩＭカードに書き込む。
【０１５８】
ステップＳ７０７、ＳＩＭファイルデータの更新が完了される場合、更新完了応答をカード物理インターフェースモジュールに返す。
【０１５９】
ステップＳ７０８、カード物理インターフェースモジュールは、更新完了応答をカード管理モジュールに返信する。
【０１６０】
ステップＳ７０９、カード管理モジュールは、更新完了応答をカード管理インターフェースモジュールに送信する。
【０１６１】
ステップＳ７１０、カード管理インターフェースモジュールは、更新完了応答をカードサービスモジュールに伝達送信し、カードサービスモジュールの更新操作を完了する。
【０１６２】
ここで、カード管理モジュールは、カード物理インターフェースモジュールがカード割当コマンドに従って完了した更新完了応答を、カード管理インターフェースモジュールに送信し、これにより、カード管理インターフェースモジュールは、更新完了応答をカードサービスモジュールに伝達し、カードサービスモジュールから発行された更新操作を完了する。
【０１６３】
本発明によるＳＩＭカード更新方法により、更新リクエストをクラウドＳＩＭカードサーバに送信し、かつクラウドＳＩＭカードサーバからの更新されたＳＩＭカードファイルデータ更新して通信端末のＳＩＭカードに書き込むことで、通信端末内のＳＩＭカードデータを更新する。
【０１６４】
実施例八
図８は、本発明の実施例によるＳＩＭカード監視及び警告方法のフローチャートであり、当該監視及び警告方法は、ＳＩＭカードリソーススケジューリング及び管理システムに応用され、以下のステップを含む。
【０１６５】
ステップＳ８０１、カードサービスモジュールは、監視及び警告コマンドをカード管理インターフェースモジュールに送信する。
【０１６６】
ここで、ユーザが当該通信端末内の各ＳＩＭカードの情報の状態を監視する必要がある場合、ユーザは、カードサービスモジュールを介して監視及び警告コマンドをカード管理インターフェースモジュールに送信することができ、ここで、ＳＩＭの状態情報が、挿入されているかどうか、廃棄されているかどうか、ネットワークに接続されているかどうか、残った通話料、残った有効期限などを含むが、これらに限定されない。
【０１６７】
ステップＳ８０２、カード管理インターフェースモジュールは、監視及び警告コマンドをカード管理モジュールに伝達する。
【０１６８】
ステップＳ８０３、カード管理モジュールに対応するカード監視及び警告サブモジュールは、カード物理インターフェースモジュールを制御して監視及び警告コマンドを実行する。
【０１６９】
ステップＳ８０４、カード物理インターフェースモジュールは、ＳＩＭカードの状態情報を読み取り、ＳＩＭカードの状態を監視する。
【０１７０】
ここで、カード物理インターフェースモジュールは、各ＳＩＭカードに対して読み書き操作を行うことができ、ＳＩＭカードの状態情報をリアルタイムで取得することができ、それによってＳＩＭカードの状態を監視し、ここで、監視されたＳＩＭカードが物理ＳＩＭカード、ｅＳＩＭカード、ソフトカード、及びリモートＳＩＭカードを含み、ここで、ＳＩＭカードがモデムにロードされて使用されてもよく、同時に非モデム側に設けられが使用されなくてもよく、本実施例中では、監視状態にあるＳＩＭカードは限定されない。
【０１７１】
ステップＳ８０５、カード物理インターフェースモジュールは、ＳＩＭカードの状態が異常であることが検出された場合、異常状態情報及び警告情報をカード管理モジュールに送信する。
【０１７２】
ここで、カード物理インターフェースモジュールは、いずれかのＳＩＭカードの状態情報が予め設定された状態の範囲を超えることが検出された場合、ＳＩＭカードの状態が異常であると確定し、このとき、カード物理インターフェースモジュールは、異常状態にあるＳＩＭカードの具体的な情報、異常状態情報及び警告情報をカード管理モジュールに送信する。
【０１７３】
ステップＳ８０６、カード管理モジュールは、異常状態情報及び警告情報をカード管理インターフェースモジュールに送信する。
【０１７４】
ステップＳ８０７、カード管理インターフェースモジュールは、異常状態情報及び警告情報をカードサービスモジュールに伝達し、これにより、カードサービスモジュールはＳＩＭカードの異常状態に対して警告を発する。
【０１７５】
ここで、カード監視及び警告サブモジュールは、ＳＩＭカードの状態情報が予め設定された状態範囲と異なることを監視して取得した場合、ＳＩＭカードの状態が異常であると判断し、かつ異常状態情報及び警告情報をカード管理インターフェースモジュールに送信し、カード管理インターフェースモジュールは、受信した異常状態情報及び警告情報をカードサービスモジュールに伝達して、通信端末を介してＳＩＭカードの異常状態をユーザにプロンプトし、これにより、ユーザはＳＩＭカードの異常をさらに診断する。
【０１７６】
本発明の他の実施例では、その通信端末は、監視及び警告コマンドを送信しなくてもよく、すなわち、ステップＳ８０１−Ｓ８０３を実行しなくてもよく、このとき、カード物理インターフェースモジュールは、各ＳＩＭの状態情報を直接読み取り、かつ状態情報をカード監視及び警告サブモジュールに送信し、カード監視及び警告サブモジュールは、ＳＩＭカードの状態を監視し、状態が異常である場合に警告を発する。
【０１７７】
ステップＳ８０８、カードサービスモジュールは、異常状態情報及び警告情報をクラウドＳＩＭカードサーバに送信する。
【０１７８】
ここで、当該カードサービスモジュールはさらに、異常状態情報及び警告情報をクラウドＳＩＭカードサーバに送信し、これより、クラウドＳＩＭカードサーバは、異常なＳＩＭカードに対して異常記録を行う。
【０１７９】
本発明によるＳＩＭカード監視及び警告方法により、通信端末の各ＳＩＭカードの状態情報を監視し、かつＳＩＭの状態が異常である場合に警告を発することができる。
【０１８０】
本発明の他の実施例では、ＳＩＭカードリソース管理システムの応用シーンに応じて、ＳＩＭカードクエリ方法、ＳＩＭカード削除方法、ＳＩＭカード無効化方法、ＳＩＭカード共有停止方法、ＳＩＭカードデータ修正方法などを提供することもでき、それらはいずれもＳＩＭカードリソース管理システムの各機能モジュールに基づいてサービスを実現し、ここでは説明を省略する。
【０１８１】
上記は、本出願の代替実施例に過ぎず、本出願を限定するためのものではない。当業者にとって、本出願に対して様々な変更及び変形を行うことができる。本出願の精神及び原則から逸脱することなく、行われた任意の修正、同等の置換、改良などは、いずれも本出願の特許請求の範囲に含まれるべきである。
【符号の説明】
【０１８２】
20  ＳＩＭカードリソース管理及びスケジューリング装置
21  カードサービスモジュール
22  カード管理インターフェースモジュール    23  カード管理モジュール
24  カード物理インターフェースモジュール
25  モデム駆動モジュール
30  ＳＩＭカードスロット
40  クラウドＳＩＭカードモジュール
50  モデム
200  通信端末
231  カードインストールサブモジュール
232  カード使用サブモジュール
233  カード共有サブモジュール
234  カード更新サブモジュール
235  カード監視及び警告サブモジュール
251  モデム仮想カード駆動モジュール
252  モデム物理カード駆動モジュール
300  クラウドＳＩＭカードサーバ
【図１】
2021536148.tif 000003
【図２】
2021536148.tif 000004
【図３】
2021536148.tif 000005
【図４】
2021536148.tif 000006
【図５】
2021536148.tif 000007
【図６】
2021536148.tif 000008
【図７】
2021536148.tif 000009
【図８】
2021536148.tif 000010
【図９】
2021536148.tif 000011
【国際調査報告】
2021536148.tif 000012
2021536148.tif 000013
2021536148.tif 000014
2021536148.tif 000015
2021536148.tif 000016